(57)【要約】【課題】客・店舗それぞれにメリットのあるオーダーエントリーシステムを提供する。【解決手段】接客担当者が使用する第１の注文データ入力装置と、携帯移動が可能な、客が自ら操作し注文データの入力が可能な第２の注文データ入力装置を併用し、前記第２の注文データ入力装置には、利用する１組の客ごとに、その客の識別情報である識別ＩＤを設定することを特徴とする注文管理システムを提供する。【選択図】    図２
2004164081.tif 000002
【特許請求の範囲】
【請求項１】
接客担当者が客から受けた注文データを入力して送信する第１の注文データ入力装置と、前記注文データ入力装置から送信された前記注文データを受信し、記憶装置に記憶し、調理指示データの送信を行う注文データ制御装置と、前記調理指示データを受信して調理指示と会計情報を出力する注文データ出力装置とを備えた注文データ管理システムにおいて、
前記接客担当者が操作する第１の注文データ入力装置の他に、携帯移動が可能で、且つ客が自ら操作して注文データの入力を行う第２の注文データ入力装置を併用可能とし、前記第２の注文データ入力装置には、利用する１組の客ごとに、その客の識別情報である識別ＩＤを設定することを特徴とする注文管理システム。
【請求項２】
前記客が自ら入力操作を行う第２の注文データ入力装置は、前記接客担当者が使用する第１の注文データ入力装置に比して、利用可能な機能が限定されていること、および、使用できる機能ボタンのみが設定されていることを特徴とする請求項１記載の注文管理システム。
【請求項３】
前記客が自ら入力操作を行う第２の注文データ入力装置は、メインとなるひとつのメニューを入力する毎に、当該注文データを、客の識別情報である識別ＩＤとともに、前記注文データ制御装置に送信することを特徴とする請求項１記載の注文管理システム。
【請求項４】
前記客が自ら入力操作を行う第２の注文データ入力装置に設定する客の識別ＩＤが、複数台の第２の注文データ入力装置において重複設定が可能であることを特徴とする請求項１記載の注文管理システム。
【請求項５】
前記客が自ら入力操作を行う第２の注文データ入力装置は、操作が行われていない場合には、その表示画面に客の識別ＩＤもしくは識別ＩＤのバーコードを表示していることを特徴とする請求項１記載の注文管理システム。
【請求項６】
前記客が自ら入力操作を行う第２の注文データ入力装置は、あらかじめ登録された客の人数、もしくは、事前に設定された一定数量以上のメニュー数量が入力された場合、数量の確認メッセージを表示することを特徴とする請求項１記載の注文管理システム。
【請求項７】
前記客が自ら入力操作を行う第２の注文データ入力装置は、メニュー数量の入力処理において、数量プラス、数量マイナス、数量クリアの３つの機能のみを有効とすることを特徴とする請求項１記載の注文管理システム。
【請求項８】
前記客が自ら入力操作を行う第２の注文データ入力装置は、注文データの入力に際して、当該ＩＤの客が当該機において過去に注文したメニューの一覧を表示し、このメニュー一覧よりメニュー注文データを選択できることを特徴とする請求項１記載の注文管理システム。
【請求項９】
前記客が自ら入力操作を行う第２の注文データ入力装置は、自ら入力した注文データのみならず、接客担当者が使用する第１の注文データ入力装置から入力された同じ識別ＩＤの注文データすべてについても参照ができることを特徴とする注文管理システム。
【請求項１０】
前記客が自ら入力操作を行う第２の注文データ入力装置において、注文データ参照時には、注文データのメニュー一覧とともに、メニュー単価の合計金額・サービス料計・税金計・すべての合計金額を合わせて確認することが可能な請求項１記載の注文管理システム。
【請求項１１】
前記客が自ら入力操作を行う第２の注文データ入力装置において、合計金額等の参照とともに、人数での均等割勘時の金額と残りの金額、および残りの金額の丸め単位選択が可能になっていることを特徴とする請求項１記載の注文管理システム。
【請求項１２】
前記客が自ら入力操作を行う第２の注文データ入力装置において、参照した同一識別ＩＤの注文データの一覧で、各自が注文したメニューをひとつずつ選択し、個人が注文したメニューについて、メニュー単価の合計金額・サービス料計・税金計・すべての合計金額の確認が可能な請求項１記載の注文管理システム。
【発明の詳細な説明】
【０００１】
【発明の属する技術分野】
本発明は、レストラン、居酒屋あるいはホテル等において、客から受けた注文を管理する注文管理システム、なかでも特に客が注文データの入力操作を行う注文データ入力装置に関する。
【０００２】
【従来の技術】
従来から、レストラン、居酒屋あるいはホテル等で、接客担当者が操作し、客から受けた注文を入力するために、携帯型の注文データ入力装置が使用されている。
【０００３】
図１を基に、従来の注文管理システムを説明すると、接客担当者が客から料理の注文を受けた場合、注文データ入力装置１１でテーブル番号や人数、客層等の顧客識別情報とともに注文を受けた各メニューとその数量を入力する。入力されたメニューは、注文データ入力装置１１に一時的に記憶され、終了もしくは転送等のキー入力によって、注文データ制御装置１２に転送され、さらに、プリンタやディスプレイ装置等の注文データ出力装置１３から、調理指示等の内容が表示もしくは伝票として印字される仕組みになっている（例えば、非特許文献１参照）。
【０００４】
また、一方では、客席に注文データ入力装置１４が設置され、接客担当者を介さず、客が自ら直接注文データ入力装置１４を操作し、自分の注文を入力することで、有線もしくは無線で注文データ制御装置１１に注文データが送信でき、プリンタやディスプレイ装置等の注文データ出力装置１１から、調理指示等の内容が表示もしくは伝票として印字されるシステムも考案されている（例えば、特許文献１）。
【０００５】
【特許文献１】
特開２００１−３０７２３４号公報
【０００６】
【非特許文献１】
会田邦弘・浅川明著「オーダーシステムが外食産業を変える」泉文堂、１９９９年２月２０日、Ｐ１５−２８
【０００７】
【発明が解決しようとする課題】
前記接客担当者が注文データを入力するシステムにおいては、接客担当者が注文データ入力装置を持って客のところへ行き、客の注文を聞き、その場で注文データ入力装置を使用し注文入力を行うようになっている。そのため、たとえば店舗が混雑していて接客担当者が忙しく注文を聞きにきてくれない場合や、座席と接客担当者が互いに見にくい位置関係にあって気づいてもらえないような場合、客は注文入力を待たされてしまうという不都合が生じていた。また、接客担当者は、客を客席へ案内する、注文を入力する、出来上がった料理を運ぶ、食べ終わった食器を片付ける、会計処理を行う等の様々な業務を行っているため、想定する客の人数に応じて適切な人数の接客係を用意しておく必要があり、客数とその接客係についての想定が外れた場合、店舗にとっては無駄な人件費が不必要にかかってしまうという問題があった。
【０００８】
一方、前記客自身が直接注文を入力するシステムにおいては、客席のテーブル毎に注文データ入力用の端末等を設置しなければならなく、システム全体の価格が高騰してしまうという問題があった。また、すべての客がすんなりと端末を操作できるわけではないため、結局、接客担当者がつきっきりで説明を行ったり、客の代わりに操作を行って注文データを入力したりして、逆に接客担当者の作業が増加してしまうことになってしまっていた。さらには、このような自ら注文データを入力するシステムを敬遠して来店しなくなってしまう客も存在していた。
【０００９】
本発明の課題は、それぞれのシステムの不具合部分を相互補填し、客側にも店舗側にもメリットがある注文管理システムを提供することにある。
【００１０】
【課題を解決するための手段】
上記目的を達成するため、本発明では、接客担当者が客から受けた注文データを入力して送信する第１の注文データ入力装置と、前記注文データ入力装置から送信された前記注文データを受信し、記憶装置に記憶し、調理指示データの送信を行う注文データ制御装置と、前記調理指示データを受信して調理指示と会計情報を出力する注文データ出力装置とを備えた注文データ管理システムにおいて、前記接客担当者が操作する第１の注文データ入力装置の他に、携帯移動が可能で、且つ客が自ら操作して注文データの入力を行う第２の注文データ入力装置を併用可能とし、前記第２の注文データ入力装置には、利用する１組の客ごとに、その客の識別情報である識別ＩＤを設定することを特徴とする注文管理システムを提供する。
【００１１】
しかも、本システムは、以下のような特徴を併せ持つものである。即ち、
前記客が自ら入力操作を行う第２の注文データ入力装置は、前記接客担当者が使用する第１の注文データ入力装置に比して、利用可能な機能が限定されていること、および、使用できる機能ボタンのみが設定されていることを特徴とするものである。
【００１２】
また、前記客が自ら入力操作を行う第２の注文データ入力装置は、メインとなるひとつのメニューを入力する毎に、当該注文データを、客の識別情報である識別ＩＤとともに、前記注文データ制御装置に送信することを特徴とするものである。
【００１３】
また、前記客が自ら入力操作を行う第２の注文データ入力装置に設定する客の識別ＩＤが、複数台の第２の注文データ入力装置において重複設定が可能であることを特徴としている。
【００１４】
また、前記客が自ら入力操作を行う第２の注文データ入力装置は、操作が行われていない場合には、その表示画面に客の識別ＩＤもしくは識別ＩＤのバーコードを表示していることを特徴とするものである。
【００１５】
また、前記客が自ら入力操作を行う第２の注文データ入力装置は、あらかじめ登録された客の人数、もしくは、事前に設定された一定数量以上のメニュー数量が入力された場合、数量の確認メッセージを表示することを特徴とするものである。
【００１６】
また、前記客が自ら入力操作を行う第２の注文データ入力装置は、メニュー数量の入力処理において、数量プラス、数量マイナス、数量クリアの３つの機能のみを有効とすることを特徴とするものである。
【００１７】
また、前記客が自ら入力操作を行う第２の注文データ入力装置は、注文データの入力に際して、当該ＩＤの客が当該機において過去に注文したメニューの一覧を表示し、このメニュー一覧よりメニュー注文データを選択できることを特徴とするものである。
【００１８】
また、本システムでは、前記客が自ら入力操作を行う第２の注文データ入力装置は、自ら入力した注文データのみならず、接客担当者が使用する第１の注文データ入力装置から入力された同じ識別ＩＤの注文データすべてについても参照ができることを特徴とするものである。
【００１９】
また、前記客が自ら入力操作を行う第２の注文データ入力装置において、注文データ参照時には、注文データのメニュー一覧とともに、メニュー単価の合計金額・サービス料計・税金計・すべての合計金額を合わせて確認することが可能であることを特徴とする。
【００２０】
また、前記客が自ら入力操作を行う第２の注文データ入力装置において、合計金額等の参照とともに、人数での均等割勘時の金額と残り金額、および残り金額の丸め単位選択が可能になっていることを特徴とする。
【００２１】
また、前記客が自ら入力操作を行う第２の注文データ入力装置において、参照した同一識別ＩＤの注文データの一覧で、各自が注文したメニューをひとつずつ選択し、個人が注文したメニューについて、メニュー単価の合計金額・サービス料計・税金計・すべての合計金額の確認が可能となっていることを特徴とする。
【００２２】
【発明の実施の形態】
以下、本発明の実施の形態に基づいて本発明を詳細に説明する。
【００２３】
本発明の注文管理システムの構成を図２に示す。本注文管理システムでは、接客担当者が使用する第１の注文データ入力装置２１、および、客が直接注文を入力するための第２の注文データ入力装置２２、それぞれの注文データ入力装置から入力された注文データを一元管理するための注文データ制御装置２３、また、注文データを伝票や表示によって、厨房に伝えるためのプリンタ２４もしくはディスプレイ端末２５、会計を行うためのＰＯＳターミナル２６から構成される。
【００２４】
通常、接客担当者が使用する第１の注文データ入力装置は、図３に示すように、タッチパネル付きの表示画面３１と、複数の固定キー３２より構成され、客から注文されたメニューの入力は、接客担当者が、注文データ入力装置の固定キーに割り付けられたメニューキーを押下することや、テンキー３３から注文を受けたメニューの番号を入力すること、または、タッチパネル付き表示画面上にメニュー一覧を表示し、該当のメニューが表示されている部分をタッチすることによって、複雑なメニューの入力も行うことができるようになっている。この第１の注文データ入力装置をそのまま客に提供し、客に注文を入力させることも可能ではあるが、すべてのメニューの入力に対応しているため、操作が複雑となっており、操作教育を受けていない客がいきなり操作するのは事実上不可能と言える。そのため、客に手渡すための第２の注文データ入力装置では、操作を簡略化するために、図４に示すように、タッチパネル付の表示画面４１と、テンキーと数個の固定されたファンクションコードを入力するためのボタン４２のみの簡略化された構成となっている。
【００２５】
この第２の注文データ入力装置を使用しての実際の運用イメージは以下のようになる。まず、客が来店すると、接客担当者が席へ案内する。
【００２６】
接客担当者は、メニューブックを客に手渡し、水やオシボリの提供を行い、客の最初の注文が確定したころを見計らって、客席へ出向き、最初の注文データの入力を行う。この最初の新規オーダについては、接客担当者が自ら操作し、接客担当者が携帯する第１の注文データ入力装置で入力する。ここでは、当該客が着席したテーブルの番号、人数や客層等の顧客の識別情報を設定するとともに、さらに最初の注文についても入力を行う。この新規オーダを入力することによって、１組の客にユニークな識別ＩＤ（伝票番号）が設定され、その情報を印刷した伝票が出力される。注文データの明細については、この後、続けて印字してもよいし、明細の印字を行わないことも可能である。接客担当者は、一組の客の識別ＩＤが確定したら、第２の注文データ入力装置に対して、通常客が行わないような特殊な操作を行って識別ＩＤ登録モードに切り替え、設定された識別ＩＤを入力する。第２の注文データ入力装置は、この識別ＩＤが登録されることで、注文データの登録動作が可能になり、また、キーの操作待ちのアイドル画面において、設定された識別ＩＤもしくは識別ＩＤのバーコードを表示するようになる。
【００２７】
客の識別ＩＤが確定した以降の追加オーダについては、接客担当者が第１の注文データ入力装置を使用して入力を行ってもよいし、客が自ら第２の注文データ入力装置を操作して追加オーダを入力することも可能となる。もちろん、第１の注文データ入力装置と第２の注文データ入力装置を併用することも可能である。
【００２８】
なお、前記バーコードについては、識別ＩＤとともにプリンタから印字し、紙の形で、第２の注文データ入力装置へ貼付して、客へ提供してもよい。
【００２９】
また、本例では、新規オーダについては、第１の注文データ入力装置で入力し、識別ＩＤを確定させて、それを第２の注文データ入力装置へ設定する手順を例示しているが、事前に客の識別ＩＤが確定している場合には、先にその識別ＩＤを第２の注文データ入力装置に設定し、第１の注文データ入力装置の操作を待たずに、第２の注文データ入力装置を客へ提供することも可能である。この場合、人数、テーブル等の顧客情報は、後から接客担当者が第１の注文データ入力装置を使用して入力することになる。たとえば、入店した客が大人数の宴会客であれば、第２の注文データ入力装置を複数台用意し、それぞれに同じ識別ＩＤを重複設定し、同一客で複数台の同時使用も可能になっている。これによって、宴会客のように大人数で入店された１組の客でも複数台の第２の注文データ入力装置を利用することができるため、客はストレスを感じることなく各々の注文を入力することができるようになる。逆に、従来のように各テーブルに固定で注文データ入力装置が設置されるわけではないため、客の人数に合わせてテーブル席を合わせて使用するような場合においては、第２の注文データ入力装置を１個だけ提供すればよいため、効率的な運用が計れるとともに、店舗のレイアウト変更についてもまったく問題なく対応できるという利点がある。
【００３０】
また、この第２の注文データ入力装置は着脱製のバッテリーパック、もしくは、乾電池を電源としており、さらに注文データ入力処理のためのプログラムは不揮発性のメモリにかかれている。そのため、本装置を使わない間は、バッテリーパックや乾電池をはずしておき、客へ手渡すための識別ＩＤの設定を行う際にバッテリーパックもしくは乾電池をセットして使用可能にすればよいため、無駄な電力を消費しないですむ設計となっている。
【００３１】
さらに、第２の注文データ入力装置では、小型・軽量化が計られているため、店舗の雰囲気を壊すこともなく、客が食事するにあたっての皿の置きスペースを奪ってしまうようなこともない。
【００３２】
次に第２の注文データ入力装置を使用しての注文データ入力は以下の手順を説明する。
【００３３】
第２の注文データ入力装置を使用する客には、客席に店舗のメニューを記載したメニューブックと簡単な操作マニュアルが第２の注文データ入力装置とともに提供される。なお、客が入力可能なメニューについてはすべてメニューブックにユニークな番号が振られている。
【００３４】
客が注文入力を開始するには、まず、第２の注文データ入力装置の注文ボタンを押す。すると第２の注文データ入力装置は、図５に例示するような「メニュー番号を入力してください」という旨のガイダンスを表示し、メニュー番号の入力モードに移行する。ここで、客は、メニューブック等を見て、自分が注文したいメニューのメニュー番号を確認し、その番号をテンキーで入力する。もし、入力されたメニュー番号に該当するメニューが存在する場合には、そのメニュー名称が画面に表示される。もし、ここで存在しないメニュー番号が入力されたり、品切れとなっているメニューが入力されたりした場合には、このメニュー番号はエラーとなり、入力したメニュー番号がクリアされ、エラー内容と再入力を促すガイダンスが表示される。
【００３５】
メニュー番号が確定すると、図６に例示するように、そのメニュー番号のメニュー名称が表示されるとともに、「数量を入力してください」というガイダンスが表示され、数量の入力モードに移行する。ここで、客は、数量をテンキー、もしくは、数量プラス、数量マイナスのファンクションボタンを使用して入力を行う。
【００３６】
また、たとえば入力されたメインとなるメニューに対して、付随するサブメニューがある場合は、そのサブメニューもあわせて表示され、画面の当該メニューの表示場所をタッチする、もしくは、▽・△キーで選択して各々の数量を入力することが可能になっている。
【００３７】
さらに、付随するサブメニューについては、数量の関連があり、メインメニューとサブメニューのトータル数量が一致しなければならないもの（イコールチェック）、サブメニューのトータル数量がメインのメニューの数量を超えてはならないもの（小なりチェック）。まったくチェックを行わないもの（ノーチェック）などがあり、付随するメニューの情報とともに、あらかじめメニューマスタファイルに設定されている。
【００３８】
これら付随するサブメニューとの関連によって、メニューの入力方法が変化する。たとえば、イコールチェックの場合は、メインメニューの数量の入力は必要ではなく、付随するサブメニューの数量を入力することによって、自動的にメインメニューの数量はカウントアップされる。また、ノーチェックや小なりチェックのメニューの場合は、メインメニュー、サブメニューそれぞれ自由な数量の入力が可能となっている。図７にイコールチェックのメニューを例示する。
【００３９】
また、数量の入力については、入力ミスの防止のため、たとえば、該当の識別ＩＤに登録されている人数以上の数量が入力された場合は、警告メッセージを表示したり、あらかじめ、一定数量を設定しておき、その数量以上のメニュー数量が入力された場合に警告メッセージを表示したり、数量の入力モードでは、テンキーを使用不可にし、数量プラス・数量マイナス・数量クリアだけの機能ボタンだけを有効とした入力を行わせる。等、いろいろなチェックパターンが準備されており、店舗の運用形態に合わせて選択して設定することが可能となっている。
【００４０】
メニュー番号以外のもうひとつのメニューの入力方法として、当該機で注文を入力したメニューの一覧を表示して、その一覧から注文したいメニューを選択し数量を設定し注文を行う方法が用意されている。図５のメニュー番号入力画面において、テンキーではなく、参照ボタンを押下すると、操作を行っている当該の第２の注文データ入力装置において、当該ＩＤの客が過去に注文入力したすべての注文データ一覧が表示される。客は、△・▽キーと確定キーで注文したいメニューを確定する、もしくは、画面上の注文したい当該メニューの表示部分にタッチすることで、再度注文したいメニューを確定させることができる。以降、メニュー番号入力時と同様に、数量入力画面に移行し、数量を入力することが可能となっている。
【００４１】
数量の確定後、確定ボタンを押すと入力したメニューは識別ＩＤとともに自動的に無線で送信され、注文データ制御装置に登録される。注文データ制御装置は、識別ＩＤを確認して該当の既存の注文データとリンクをとってこのデータを格納する。第２の注文データ入力装置では、このように１メニューごとに注文データが注文データ管理装置に送信されるため、たとえば、送信エラーが発生したような場合でも、障害の影響範囲を小さくできる。このため、障害発生時のメニューの再入力操作も簡単に行えるようになっている。なお、接客担当者が操作する第１の注文データ入力装置と、客が操作する第２の注文データ入力装置では、入力できるメニューに違いがあり、第２の注文データ入力装置では入力できるメニューが限定可能となっており、第２の注文データ入力装置では入力できないメニューや、第２の注文データ入力装置そのものを操作したくないという客については、従来のシステムのように接客担当者を呼んで、接客担当者に注文データの入力を行わせることも可能である。
【００４２】
第２の注文データ入力装置では、注文データの入力の他に、通常の勘定伝票と同じように、自分の注文したメニューをすべて参照することが可能になっている。
【００４３】
第２の注文データ入力装置の参照ボタンを押すと、第２の注文データ入力装置が保持している識別ＩＤとともに注文データ参照要求が注文データ制御装置に送信される。注文データ制御装置はこの要求を受信すると、当該識別ＩＤのそれまでに注文入力されたすべての注文データ情報と金額情報を要求を発した第２の注文データ入力装置に返送する。
【００４４】
本実施例では、参照ボタンを押された場合に注文データ管理装置と送受信を行って、注文データ情報を入手する仕様を例示しているが、各々の注文データ管理装置から、当該識別ＩＤの注文データが入力された場合、注文データ管理装置から、自動的に注文データを送信し、あらかじめ第２の注文データ入力装置に記憶させておくことも可能である。
【００４５】
第２の注文データ入力装置は、自らの注文データ情報を受信すると、まず、金額情報を図８のように画面に表示する。金額情報は、各メニュー単価の合計金額、サービス料、税金合計、すべての合計金額を表示するとともに、合計金額を人数割したときの一人あたりの金額を表示し、割りきれなかった端数については残りとして表示する。さらに、割勘ボタンを押すと、端数処理の単位が１円⇒１０円⇒１００円⇒１０００円⇒１円・・・とサイクリックに変化し、客の希望する人数割勘時の金額と残り金額を表示することが可能となっている。
【００４６】
一方、最初の金額表示画面で△・▽キーを押すことによって、図９のように過去に注文した注文データのメニュー名とその単価と注文数量の一覧が表示される。▽キーであれば、直近の注文データから順番にされる。逆に、△キーが押された場合には、最古の注文データから表示される。このときの表示は、注文したときとまったく同様の順番および数量で表示されており、１画面に収まらない場合は、さらに、△・▽キーを押すことで、ページ替えが行われる仕様となっている。
【００４７】
さらに、この注文データ一覧画面で割勘ボタンをおすと、すべての注文データが１メニューずつに分解されて表示される。例えば生ビール２個は、生ビール１個・生ビール１個と２行で表示されるようになる。さらに、メニューが１行ずつ反転表示され、△・▽キーでメニューを反転行が１行づつ移動する。ここで、自分が頼んだメニューを選択し参照ボタンを押すと、反転表示されたメニューが選択される。また、このモードにおいて該当メニュー表示部分をタッチしても同様な効果が生まれる。自分が頼んだすべてのメニューの選択が完了し、確定ボタンを押すと、それまで選択したメニューの合計金額、サービス料計、税金計、すべての合計金額が表示される仕組みになっている。このようにして、単純な人数割りでの割勘金額とともに、ひとつずつメニューを選択しての割勘金額を確認することも可能となっている。
【００４８】
また、第２の注文データ入力装置は、通常操作が行われない場合は、識別ＩＤの番号とバーコードが画面に表示されているため、会計時には、従来の勘定伝票の代わりにこの第２の注文データ入力装置をレジへ持参してもらうことにより、レジ担当者は、第２の注文データ入力装置の画面に表示されているバーコード、もしくは、貼付されている紙に印字されたバーコードをバーコードリーダで読み取るか、または、表示されている識別ＩＤをレジのキーボード等で入力することによって、注文データ制御装置へ当該識別ＩＤの注文データ情報を要求し、注文データ制御装置から、該当する注文データ情報を受信することにより、レジにおいては従来の勘定伝票での操作とまったく同じようにすみやかな会計処理を実現することが可能となっている。
【００４９】
【発明の効果】
本発明によって、客は注文入力を待たされることなく、注文データの入力が行えるようなる。店舗側としては、注文機会の増加による売上増が期待できる。
【００５０】
また、客にとっては、注文したメニューや金額がすべて確認でき、かつ、割勘等の金額もいちいち計算を行わなくとも、簡単にわかるようになる。、店舗側としては、注文データ入力装置そのものが勘定伝票の代わりとなるため、従来の勘定伝票が不要になり、紙代のコストを大幅に削減することが可能とある。
【図面の簡単な説明】
【図１】従来の注文管理システムの構成図
【図２】本発明の注文管理システムの構成図
【図３】従来の注文データ入力装置の概観図
【図４】本発明の注文データ入力装置の概観図
【図５】本発明に係るメニュー番号入力画面例
【図６】本発明に係るメニュー数量入力画面例
【図７】本発明に係るメニュー数量入力画面例（イコールチェック例）
【図８】本発明に係る人数割勘金額表示画面例
【図９】本発明に係る注文済みメニュー一覧画面例
【符号の説明】
１１  注文データ入力装置
１２  注文データ登録入力装置
１３  注文データ出力装置
１４  セルフタイプの注文データ入力
２１  注文データ入力装置
２２  注文データ登録入力装置
２３  プリンタ装置
２４  ディスプレイ装置
２５  ＰＯＳレジスタ
３１  注文データ入力装置の表示部
３２  注文データ入力装置のキー部
３３  注文データ入力装置のテンキー
４１  注文データ入力装置の表示部
４２  注文データ入力装置の機能ボタン
【図１】
2004164081.tif 000003
【図２】
2004164081.tif 000004
【図３】
2004164081.tif 000005
【図４】
2004164081.tif 000006
【図５】
2004164081.tif 000007
【図６】
2004164081.tif 000008
【図７】
2004164081.tif 000009
【図８】
2004164081.tif 000010
【図９】
2004164081.tif 000011